(57)【要約】【課題】従来困難であった掛け流し式浴槽の温度・水位制御を、効率よく行う。【解決手段】本発明では、浴槽内に温度センサと水位センサを取り付け、センサからの信号によって温泉水・冷水の流入バルブの開閉を制御する。また、湯水の補給口が浴槽の上にあるため、浴槽内の温度が均等になるよう、排水口を浴槽下部に設ける。この方法を利用すると、適正な温度や水位を保つことができるため、快適に入浴することができる。【選択図】図１
2008100018.tif 000002
【特許請求の範囲】
【請求項１】
浴槽水を掛け流しにて補給する浴槽について、浴槽内に温度センサと水位センサを設置し、それらのセンサから発せられる信号を受けてバルブの開閉を制御する制御盤と、温泉水と冷水とを用いて、設定した温度に浴槽水を調節可能な機能と、水位を測定し、設定した水量を維持することができる、補給水装置。
【請求項２】
冷水が水道水である、請求項１に記載の補給水装置。
【請求項３】
冷水が井戸水である、請求項１に記載の補給水装置。
【請求項４】
冷水が地下水である、請求項１に記載の補給水装置。
【請求項５】
冷水が雨水である、請求項１に記載の補給水装置。
【請求項６】
湯水の補給口が浴槽水面より上部にあり、溢れ水の排水口を、浴槽の底面又は底面に近い側面又は底面及び底面に近い側面に設置した、請求項１乃至請求項５に記載の補給水装置。
【請求項７】
側面下部に開口部のある円又は多角形の筒状の物の対面上部に冷水の入口と温泉水の入口があり、下部開口部の内側上部に下り斜面になるよう角度をつけて板を取り付け、冷水と温泉水が効率よく混合するようにした冷温水混合器を湯水の補給口に設けた、請求項１乃至請求項６に記載の補給水装置。
【請求項８】
浴槽水を掛け流しにて補給する浴槽について、浴槽内に温度センサと水位センサを設置し、それらのセンサから発せられる信号を受けてバルブの開閉を制御する制御盤と、温泉水と冷水とを用いて、設定した温度に浴槽水を調節可能な機能と、水位を測定し、設定した水量を維持することができる、補給水の方法。
【請求項９】
冷水が水道水である、請求項８に記載の補給水の方法。
【請求項１０】
冷水が井戸水である、請求項８に記載の補給水の方法。
【請求項１１】
冷水が地下水である、請求項８に記載の補給水の方法。
【請求項１２】
冷水が雨水である、請求項８に記載の補給水の方法。
【請求項１３】
湯水の補給口が浴槽水面より上部にあり、溢れ水の排水口を、浴槽の底面又は底面に近い側面又は底面及び底面に近い側面に設置した、請求項８乃至請求項１２に記載の補給水の方法。
【請求項１４】
側面下部に開口部のある円又は多角形の筒状の物の対面上部に、冷水の入口と温泉水の入口があり、下部開口部の内側上部に下り斜面になるよう角度をつけて板を取り付け、冷水と温泉水が効率よく混合するようにした冷温水混合器を湯水の補給口に設けた、請求項８乃至請求項１３に記載の補給水の方法。
【発明の詳細な説明】
【技術分野】
【０００１】  本発明は、露天風呂などの浴槽における湯水の掛け流し式補給の方法に関する。
【背景技術】
【０００２】  従来の浴槽への給湯方法には、浴槽内へ配管を接続して水面下で補給する方法と、水面より上に配管や樋などを配置して補給する方法があった。水面下で補給する方法は、主に濾過機を用いる循環式浴槽にみられ、適温に温められた湯が供給される。また、水面より上からの補給は、主に温泉の湯を補給して再利用せずに排水する掛け流し式浴槽にみられる。【０００３】  段落番号０００２で示した水面より上から補給する方法は、入浴者の目に見える場所から給湯するため、新鮮できれいな温泉水を給湯する様子を演出することができる。こうした技術が掛け流しと呼ばれ、高級化を目指す入浴施設や宿泊施設を中心に、幅広く取り入れられている。【０００４】  掛け流し方式での補給の方法は、源泉と呼ばれる温泉水の湧き出る場所から直接、または、源泉の湯を貯めた貯湯槽から、配管を通じて浴槽まで湯を運び、浴槽の水面より上から湯を注ぐ。
【発明の開示】
【発明が解決しようとする課題】
【０００５】  温浴施設に於いては、浴槽水の温度制御が重要な要素となる。掛け流し式の場合、浴槽内の水温を補給される湯の温度によって調節するが、適温とされる摂氏４２度〜４３度の源泉を利用できる施設は少なく、水温が摂氏５５度〜６０度と高い源泉からの補給と水による温度管理を行う必要がある。【０００６】  また、入浴によって水位が低くなった場合も給湯する必要があるが、従来の掛け流し式の場合は源泉や貯湯槽からの流量に給湯量を頼っており、制御している場合でも、手動のバルブの開閉によるものであるなど、適量の補給が難しく、無駄に湯をあふれさせてしまったり、湯量が不足して浴槽内の汚れが排出されず不衛生になったりすることがある。
【課題を解決するための手段】
【０００７】  本発明は、掛け流し式の温泉浴槽内の温度と水位を制御して、温泉浴槽内の温度を均一に保つとともに、入浴者の好みに応じて設定された温度への調節を簡単に行うものである。【０００８】  浴槽が空の状態から湯を満たすときは、温泉水と冷水を混合して適温にして補給することにより、温度調節された湯水が補給される仕組みである。ここで、温度調節に用いる冷水は水道水のほか、井戸水や地下水や雨水が利用できる。但し、水道水以外を用いる場合は、監督する官庁や保健所等の指導に合わせて濾過や消毒をして清潔にする必要がある。【０００９】  浴槽内の温度を制御するためには、浴槽内に温度センサを設置する。本発明では、同センサからの温度低下の信号を受信し、昇温用のバルブを開いて温泉水を補給することにより、水温を上げる。同センサからの信号により適温まで上昇したことを確認したら、昇温用のバルブを閉じて温度上昇を防ぐ。【００１０】  水位管理には、浴槽に設置した水位センサを用いる。本発明は同センサから水位低下の信号を受信し、湯張り用のバルブを開けることにより、適温の湯を補給する。同センサからの信号により水位が適量まで上昇したことを確認したら、湯張り用のバルブを閉じて補給を停止する。【００１１】  段落番号０００９では昇温について述べたが、降温については冷水補給バルブを制御することで、昇温と同じく制御することができる。また、段落番号００１０では水位上昇についてのみ述べているが、水位制御している状態で設定水位を大幅に超えることはなく、外部からの水の流入も考えにくいためである。もし何らかの理由で水位が上昇してしまっても、溢れによって自然に水位が下がり、下がりすぎれば段落番号００１０の手順で調節されるので問題はない。【００１２】  掛け流し式で湯水を補給する場合、上部から補給してそのまま浴槽の上部より溢れさせると、浴槽内にある湯水と十分に混合することができず、浴槽上部に近い湯は熱く、底部に近い湯は温度が低くなってしまう。さらに、湯水が入れ替わらず汚れが排出されない部分が発生して不衛生になる。そこで、溢れ排水用の排水口を、掛け流し湯口から遠い底面並びに掛け流し湯口から遠く浴槽底面に近い側面に設置することで、浴槽内の湯と補給した湯水が混合し、浴槽温度をむらなく一定の温度にすることができる。
【発明の効果】
【００１３】  本発明では、従来の掛け流し方法では難しかった浴槽温度と水位を、ボイラなどの昇温装置や降温のための設備を使用することなく、１台で簡単に制御できる。
【発明を実施するための最良の形態】
【００１４】  以下、本発明の実施形態を図面とともに説明する。図１は、本発明を用いた掛け流し式浴槽の系統図である。符号２は破線で囲まれた部分を示しており、補給水装置本体を表している。また、符号１のリモコンには、温度調節スイッチと湯張りスイッチがついている。【００１５】  入浴者が客室や浴室や脱衣所に入室した際、符号１のリモコンについている温度調節スイッチを押して浴槽水を好みの温度に設定することができる。その後、符号１のリモコンについている湯張りスイッチを押すことで、符号３の制御盤に信号が送られ、符号４の温泉水用バルブと符号５の冷水用バルブを開き、空の浴槽に湯を張ることができる。入室前に湯を張っておくことも可能であるが、入浴者自身で湯張りすることで、はじめから好みの温度で入浴することができるとともに、新鮮な湯が浴槽に満たされていく様子を演出できる。設定水位に達したことを符号６の水位センサが感知すると、符号３の制御盤に信号を送る。信号を受けた符号３の制御盤は、符号４の温泉水用バルブと符号５の冷水用バルブを閉じ、補給を停止する。【００１６】  温度が低下すると、符号７の温度センサが温度を感知し、符号３の制御盤に信号を送る。信号を受けた符号３の制御盤は、符号４の温泉水用バルブを開き、温度の高い温泉水を供給することで昇温する。設定温度に達したことを符号７の温度センサが感知すると、符号３の制御盤に信号を送る。信号を受けた符号３の制御盤は、符号４の温泉水用バルブを閉じ、昇温を停止する。【００１７】  水位が低下すると、符号６の水位センサが温度を感知し、符号３の制御盤に信号を送る。信号を受けた符号３の制御盤は、符号４の温泉水用バルブと符号５の冷水用バルブを開き、適温の湯を補給する。設定水位に達したことを符号６の水位センサが感知すると、符号３の制御盤に信号を送る。信号を受けた符号３の制御盤は、符号４の温泉水用バルブと符号５の冷水用バルブを閉じ、補給を停止する。【００１８】  溢れ水は、浴槽下部にある符号８の溢れ排水口より排水される。排水は下水道に接続されることが多く、臭気が流入する恐れがあるため、符号１４の排水弁には、防臭機構が施されているが、温泉水の成分には配管内で固まり、スケールを形成するものもあるので、その機構は排水詰まりがおきにくい構造がよい。【００１９】  符号１のリモコンにつける温度調節スイッチや湯張りスイッチは、押しボタンやタッチパネルなどを用いると簡単に操作できる。【００２０】  符号６の水位センサは、図１に示すような、浴槽内側の側面に取り付けて水圧の変化によって水位を感知する電子式水位制御装置が衛生的で望ましいが、連通管を用いて他の場所に取り付ける電極式やその他のものでも利用できる。【００２１】  符号７の温度センサは、図１に示すような、浴槽内側の側面に取り付けるもの以外でも利用できる。また、符号６の水位センサと一体型になっていても単体でも同じ効果が得られる。【００２２】  図２は、符号２の補給水装置本体内の温泉管を分岐させ、内部で温泉管が２本になり、符号４の温泉水用バルブも２個になるように配管したものである。このように配管すると、符号４の温泉水用バルブの一方を常時開けておき、符号９の掛け流し湯口から温泉水を少量ずつ流しつづけることができ、常に新しい湯を補給し、清潔に保っている様子を演出することができる。【００２３】  図１や図２では、温泉水と冷水の配管を別にし、符号９の掛け流し湯口にて混合しているが、配管の途中で混合した湯水を浴槽へ運ぶこともできる。【００２４】  温泉水と冷水の配管を別にし、符号９の掛け流し湯口にて混合する場合、符号９の掛け流し湯口は、温泉水と冷水を取り込んでそのまま浴槽へ流してもよいが、図３乃至図５に示す冷温水混合器を設けると、浴槽内の温度にムラがなくなる。【００２５】  冷温水混合器について図１及び図３を使用して説明する。図３は、冷温水混合器を側面から見た図である。【００２６】  符号２の補給水装置本体内にある符号４の温泉水用バルブに接続される配管は、冷温水混合器の符号１２にて示される温水入口に接続される。この配管内を温泉水が通過する。同様に、符号５の冷水用バルブに接続される配管は、冷温水混合器の符号１１にて示される冷水入口に接続され、内部を冷水が通過する。【００２７】  冷温水混合器の内部に流入した温泉水や冷水は、符号１３の混合板に当たり、互いに混ざり合いながら符号１３の混合板を伝って冷温水混合器の底部へ流れ、符号１０の混合湯水の吐出用開口部から浴槽へ流出する。【００２８】  符号１３の混合板の役割は、温泉水や冷水が板に当たった衝撃で混合するのと同時に、浴槽への到達時間を長くし、さらに混合するためのものである。また、符号１１の冷水入口と符号１２の温水入口は水平方向にあってもよいが、その場合は符号１３の混合板に平行に当たるため、図３のように垂直方向に配置して、符号１３の混合板の近い場所を温泉水と冷水が流れるようにした場合よりも混合効果が低くなる。但し、温泉水と冷水の入口が垂直方向にあり上下逆になっていても、図３のように並んでいる場合と比較して混合効率に差は生じない。【００２９】  冷温水混合器は温泉水を通すため、その材質は腐蝕しにくいものがよいが、石材やヒノキなどの木材を用いると、それ自体に高級感や風情といった視覚効果が生じ、付加価値が高まる。冷温水混合器の周囲に同じ材質や違う材質のカバーをつけて装飾してもよい。また、冷温水混合器自体の形状は、図３乃至図５では丸型となっているが、丸型でも多角形でも、筒状で温泉水や冷水を通すことができ、温泉水や冷水の出入口と混合板の位置関係が図３の通りであれば、いずれも同様の効果が得られる。図６乃至図８は、冷温水混合器を四角形の筒型にした実施例である。図３乃至図５の実施例における符号１１の冷水入口及び符号１２の温水入口は、図６乃至図８の実施例では本体内に格納されており外側からは見えなくなっている。【００３０】  図４及び図５は、図３の冷温水混合器の構造をわかりやすくするために別の方向から見た図である。図４は、図３の冷温水混合器を、符号１１の冷水入口が上になる方向から俯瞰した図である。また、図５は、図３の冷温水混合器を、符号１０の混合湯水の吐出用開口部側から見た図である。
【産業上の利用可能性】
【００３１】  本発明は、浴槽の温度や水位を制御できるだけでなく、見た目の演出効果があるため、高級化を目指す宿泊施設や温泉テーマパークなど、入浴に関するあらゆる施設に利用できる。
【図面の簡単な説明】
【００３２】
【図１】  図１は、本発明を用いた掛け流し式浴槽の系統図である。
【図２】  図２は、本発明のうち補給水装置本体内の温泉管を分岐させ、温泉水用バルブを２個と冷水用バルブを１個備える形にしたものである。
【図３】  図３は、本発明のうち湯水の補給口部分に用いる冷温水混合器を側面から見た図である。
【図４】  図４は、図３の冷温水混合器を、符号１１の冷水入口が上になる方向から俯瞰した図である。
【図５】  図５は、図３の冷温水混合器を、符号１０の混合湯水の吐出用開口部側正面から見た図である。
【図６】  図６は、冷温水混合器を四角形の筒型とした、図３乃至図５とは別の実施例である。
【図７】  図７は、図６の冷温水混合器を、符号１０の混合湯水の吐出用開口部が左になる方向から俯瞰した図である。
【図８】  図７は、図６の冷温水混合器を、符号１０の混合湯水の吐出用開口部側正面から見た図である。
【符号の説明】
【００３１】    １    リモコン
２    補給水装置本体
３    制御盤
４    温泉水用バルブ
５    冷水用バルブ
６    水位センサ
７    温度センサ
８    溢れ排水口
９    掛け流し湯口
１０    混合湯水の吐出用開口部
１１    冷水入口
１２    湯水入口
１３    混合板
１４    排水弁
【図１】
2008100018.tif 000003
【図２】
2008100018.tif 000004
【図３】
2008100018.tif 000005
【図４】
2008100018.tif 000006
【図５】
2008100018.tif 000007
【図６】
2008100018.tif 000008
【図７】
2008100018.tif 000009
【図８】
2008100018.tif 000010